(57)【要約】【課題】重量バランスを取り易く取り扱い性を向上させることができる照明器具を提供する。【解決手段】照明器具１０は、光源１２，１３を収容した器具本体１１と、器具本体１１を支持するアーム１４と、イグナイタ１６，１７を内蔵したボックス部１８と、を備え、ボックス部１８は、金具１５を介して取り付けられている。【選択図】図１
2011003346.tif 000002
【特許請求の範囲】
【請求項１】
光源を収容した器具本体と、
前記器具本体を支持するアームと、
前記光源を点灯させる点灯装置を構成する一部または全部を内蔵したボックス部と、
を備える照明器具であって、
前記ボックス部は、前記器具本体を跨ぐ支持金具を介して取り付けられていることを特徴とする照明器具。
【請求項２】
前記支持金具が前記アームを兼ねることを特徴とする請求項１に記載した照明器具。
【請求項３】
前記支持金具は、前記アームの一部に掛止される掛止部を有し、前記掛止部は前記アームにネジ固定されていることを特徴とする請求項１または２に記載した照明器具。
【発明の詳細な説明】
【技術分野】
【０００１】
本発明は、構造躯体やポール等の器具取付台に取り付けられることにより構造物や滑走路等に投光を行う照明器具に関する。
【背景技術】
【０００２】
従来の照明器具の一例として、器具本体の背面にイグナイタを取り付けたものがある（例えば、特許文献１、特許文献２参照）。
【先行技術文献】
【特許文献】
【０００３】
【特許文献１】特開平９−０７３８０３号公報（図１、請求項１）
【特許文献２】特開平１１−０９６８０４号公報（図１、発明の実施の形態の欄）
【発明の概要】
【発明が解決しようとする課題】
【０００４】
投光照明の設計において、特に滑走路の投光では瞬時再始動性が必要不可欠である。一般に投光照明はＨＩＤランプを使用することが多く、瞬時点灯には高圧パルス始動にて点灯を行なう。そのため、イグナイタ（高圧パルス発生装置）が必要となる。
【０００５】
ところが、イグナイタのパルスの減衰が懸念されるために、イグナイタは器具本体内にＨＩＤランプとともに内蔵される場合がある。
【０００６】
しかし、器具本体内にイグナイタが内蔵される場合、器具本体の質量が大きくなり、イグナイタの点検の際に、重い器具本体を動作させて、下面のガラス付枠を開けなければならず、それによって、器具本体の操作性が良くなかった。
【０００７】
上記特許文献１、２に開示された従来の照明器具は、このような背景に鑑みて提案された。しかし、このような照明器具は大重量であり、イグナイタを収容しているイグナイタボックスおよび器具本体が、器具本体を支持するアームの軸に対して離れている。
従って、重量バランスを取り難く、アームに大きな荷重がかかって不安定な支持を行うことになりうるという更なる問題点がある。
【０００８】
本発明は、前述した課題を解決するためになされたものであり、その目的は、重量バランスを取り易く取り扱い性を向上させることができる照明器具を提供することにある。
【課題を解決するための手段】
【０００９】
本発明に係る照明器具は、光源を収容した器具本体と、前記器具本体を支持するアームと、前記光源を点灯させる点灯装置を構成する一部または全部を内蔵したボックス部と、を備える照明器具であって、前記ボックス部は、前記器具本体を跨ぐ支持金具を介して取り付けられていることを特徴とする。
【００１０】
ここで、点灯装置とは、光源がＨＩＤである場合、イグナイタおよび安定器を含み、光源が無電極放電灯である場合、安定器を含む。
本発明においては、光源を点灯させる点灯装置を構成する一部または全部を内蔵したボックス部が支持金具を介して取り付けられるため、支持金具を介してボックス部および器具本体をアームに有する支持軸に対して近づけて配置することができる。
従って、重量バランスを取り易く取り扱い性を向上させることができる。
【００１１】
本発明に係る照明器具は、上記構成の照明器具において、前記支持金具が前記アームを兼ねることを特徴とする。
【００１２】
本発明においては、支持金具がアームを兼ねるため、簡単に安定な重量バランスを獲られるとともに、部品点数を少数化できる。
【００１３】
本発明に係る照明器具は、上記構成の照明器具において、前記支持金具は、前記アームの一部に掛止される掛止部を有し、前記掛止部は前記アームにネジ固定されていることを特徴とする。
【００１４】
本発明においては、ボックス部を取り付けた支持金具は、その掛止部をアームの一部に掛止してアームにネジ固定される。
これにより、万が一に、ネジ固定が外れたとしても掛止部がアームに掛止された状態を維持する。
従って、ボックス部の落下を防止することができる。
【発明の効果】
【００１５】
本発明の照明器具によれば、イグナイタを内蔵したボックス部を、支持金具を介して取り付けた。
これにより、重量バランスを取り易く取り扱い性を向上させることができるという効果を有する。
【図面の簡単な説明】
【００１６】
【図１】本発明に係る第１実施形態の照明器具の斜め前方から視た外観斜視図
【図２】図１に示した照明器具の斜め後方から視た外観斜視図
【図３】図１に示した照明器具の回路構成図
【図４】図１に示した照明器具の一部破断正面図
【図５】図１に示した照明器具の左側面図
【図６】図１に示した照明器具における上下方向回動機構の分解斜視図
【図７】図６に示した上下方向回動機構の縦断面図
【図８】図１に示した照明器具におけるボックス部周りの一部破断側面図
【図９】図１に示した照明器具における左右方向回動機構の分解斜視図
【図１０】図１に示した照明器具における左右方向回動機構を平面図
【図１１】図１に示した照明器具の動作を説明する外観斜視図
【図１２】本発明に係る第２実施形態の照明器具の斜め上方から視た外観斜視図
【図１３】本発明に係る第３実施形態の照明器具の斜め後方から視た外観斜視図
【図１４】本発明の変形例の回路構成図
【発明を実施するための形態】
【００１７】
以下、本発明の複数の実施形態に係る照明器具について図面を参照して説明する。
【００１８】
（第１実施形態）
本発明の第１実施形態の照明器具１０について図１〜図１１に基づいて説明する。
図１、図２に示すように、照明器具１０は、器具本体１１と、器具本体１１に保持されている一対のＨＩＤ光源１２，１３と、アーム１４と、支持金具１５と、始動時にＨＩＤ光源１２，１３にパルスを印加してＨＩＤ光源１２，１３を起動させるための一対のイグナイタ１６，１７と、一対のイグナイタ１６，１７を収容した金属製で単一のボックス部１８と、一対の安定器１９，２０と、左右方向回動機構２１と、上下方向回動機構２２とを備える例えば５０ｃｍ〜１００ｃｍの全幅寸法を有する大重量物であって構造躯体１の下面に取り付けられる。
【００１９】
器具本体１１は、アルミダイカスト製であって下方に開口部２３を形成している。開口部２３には、図１中の前後に対向配置されている二対のラッチ部材２４を介して下面ガラス２５が取り付けられている。下面ガラス２５は図１中の前方の一対のラッチ部材２４の係止を解除することにより図１中の後方の一対のラッチ部材２４により開口部２３を開放するように回動される。器具本体１１は、放熱用の凹凸面２６を形成している。
【００２０】
アーム１４は、十分な剛性を有する金属製板部材であってコ字形状に形成されている。アーム１４は一対の側板２７と側板２７にそれぞれ接続された天板２８とを有する。アーム１４は側板２７の先端部に上下方向回動機構２２を配置して器具本体１１を上下方向に回動自在に支持しており、天板２８の上部に左右方向回動機構２１を配置して器具本体１１を左右方向に回動自在に支持している。
【００２１】
支持金具１５は、アーム１４と同様の十分な剛性を有する金属製板部材であって、器具本体１１を跨ぐ略山型に形成されている。すなわち、支持金具１５は、器具本体１１の両側面から上方に立ち上がるとともに、器具本体１１の上部において連結された形状となっている。支持金具１５は、その上端部にアーム側固定部２９を有し、その下方にボックス部固定用板３０を有する。
【００２２】
ボックス部１８は、その側部に一対の器具配線引出口３１を有する。器具配線引出口３１には、一対のイグナイタ１６，１７からそれぞれ引き出された器具配線３２，３３が引き出されており、引き出された器具配線３２，３３が安定器１９，２０にそれぞれ電気的に接続されている。
【００２３】
図３に示すように、照明器具１０は、器具本体１１内に収容されている一方のＨＩＤ光源１２に一方の安定器１９が直列に接続され、器具本体１１内に収容されている他方のＨＩＤ光源１３に他方の安定器２０が直列に接続されて、これらが並列に商用電源に接続されている。なお、光源として、ＨＩＤ光源１２，１３に代えて無電極放電灯を適用することもできる。
【００２４】
図４、図５、図６、図７に示すように、上下方向回動機構２２は、回動範囲規制用円盤３４と、ハンドル３５と、から主として構成されている。
【００２５】
回動範囲規制用円盤３４は、器具本体１１の回動位置を表示するための目盛部３６と、回動範囲規制用長孔３７と、回動範囲規制用段部３８とを有し、中心に挿通されたスリーブ３９を介して回動する。スリーブ３９には回動支持用ボルト４０が挿通されており、回動支持用ボルト４０は側板２７の裏面で裏円盤４１に挿通されている。回動支持用ボルト４０は、アーム１４の側板２７を介して器具本体１１の両側部に有する側部回動支持部４２にそれぞれねじ固定されている。裏円盤４１は回動範囲規制用ピン４３を有する。
【００２６】
アーム１４の側板２７には、回動範囲規制用長孔３７に挿通される軸４４を有する。軸４４には、回動範囲規制用円盤３４の表側でナット４５がネジ止めされる。また、アーム１４の側板２７にはハンドル３５が挿通されている。ハンドル３５は、側板２７の裏側で、支持部材４６およびナット４８により裏円盤４１の回動を支配している。
【００２７】
上下方向回動機構２２は、アーム１４に対して、器具本体１１が予め定められた角度回動された際に、回動範囲規制用円盤３４の目盛部３６により器具本体１１の回動位置を表示する。このとき、器具本体１１は、回動範囲規制用長孔３７内の軸４４が回動範囲規制用長孔３７の端部に当接する範囲内および回動範囲規制用段部３８が裏円盤４１の回動範囲規制用ピン４３に当接する範囲内でのみ回動を許容される。
【００２８】
図８に示すように、支持金具１５は、その上端部のアーム側固定部２９に、アーム１４の天板２８に掛止される掛止部４９を有する。掛止部４９はフック形状に形成されているために天板２８に引っ掛けられる。そして、アーム側固定部２９と天板２８とは、それぞれに挿通されたボルト５０とボルト５０にネジ止めされるナット５１とにより一体的に固定されている。
【００２９】
支持金具１５のボックス部固定用板３０にはボックス部１８がネジ止めされている。ボックス部１８は図８中の左方側を開放した箱形状に形成されている。ボックス部１８は図８中の右方側にボルト５２を挿通し、それらボルト５２をボックス部固定用板３０にネジ固定することによりボックス部固定用板３０に固定されている。そして、開放部分に蓋部材５３が被着され、防水用のパッキン５４を介してネジ５５により蓋部材５３がネジ固定されている。
【００３０】
図９、図１０に示すように、左右方向回動機構２１は、固定板部５６に設けられた回動支持孔５７と、回動支持孔５７の周りに設けられた回動範囲規制用長孔５８と、から構成されている。
【００３１】
左右方向回動機構２１は、回動支持孔５７を挿通して回動支持用のボルト５９が構造躯体１にねじ込まれ、回動範囲規制用長孔５８を挿通して回動範囲規制用のボルト６０が構造躯体１にねじ込まれる。これにより、左右方向回動機構２１は、回動範囲規制用長孔５８が回動範囲規制用のボルト６０に当接する範囲で固定板部５６が回動を許容され、アーム１４とともに器具本体１１およびボックス部１８が左右方向に回動させる。
【００３２】
図１１に示すように、照明器具１０は、左右方向回動機構２１により回動範囲規制用長孔５８が回動範囲規制用のボルト６０に当接する範囲で固定板部５６が回動を許容されて、アーム１４とともに器具本体１１およびボックス部１８が左右方向に角度範囲θ１で回動される。
【００３３】
照明器具１０は、ハンドル３５を緩めることにより裏円盤４１の回動を許容してから、上下方向回動機構２２により回動範囲規制用長孔３７内の軸４４が回動範囲規制用長孔３７の端部に当接する範囲内および回動範囲規制用段部３８が裏円盤４１の回動範囲規制用ピン４３に当接する範囲内で回動を許容されて、アーム１４に対して器具本体１１およびボックス部１８が上下方向に角度範囲θ２で回動される。
【００３４】
以上説明したように、本発明の第１実施形態の照明器具１０では、イグナイタ１６，１７を内蔵したボックス部１８が支持金具１５を介して取り付けられる。
これにより、大重量の照明器具１０において、支持金具１５を介してボックス部１８および器具本体１１をアーム１４に有する回動支持用ボルト４０に対して近づけて配置することができる。
従って、重量バランスを取り易く取り扱い性を向上させることができる。
【００３５】
本発明の第１実施形態の照明器具１０では、ボックス部１８を取り付けた支持金具１５は、その掛止部４９をアーム１４の天板２８に掛止して天板２８にネジ固定される。
これにより、万が一に、ネジ固定が外れたとしても掛止部４９がアーム１４に掛止された状態を維持する。
従って、ボックス部１８の落下を防止することができる。
【００３６】
（第２実施形態）
次に、本発明の第２実施形態の照明器具７０について図１２に基づいて説明する。なお、以下の各実施形態において、上述した第１実施形態と重複する構成要素や機能的に同様な構成要素については、図中に同一符号あるいは相当符号を付することによって説明を簡略化あるいは省略する。
【００３７】
図１２に示すように、本発明の第２実施形態の照明器具７０は、ボックス部１８が、器具本体１１に固定されている支持金具７１を介して取り付けられているとともに、器具本体１１およびボックス部１８がアーム１４に対して取り付けられている。
【００３８】
支持金具７１は、アーム１４と同様の十分な剛性を有する金属製板部材であってコ字形状に形成されている。支持金具７１は、ボックス部１８を固定するためのボックス部固定用板７２の両側に器具本体１１に固定される一対の側板７３を有する。
【００３９】
第２実施形態の照明器具７０は第１実施形態と同様の作用効果を奏する。特に、本実施形態では、ボックス部１８を器具本体１１の上方に配置しているために、器具本体１１の横方向の幅寸法を小さくしてコンパクト化を図ることができる。
【００４０】
（第３実施形態）
次に、本発明の第３実施形態の照明器具８０について図１３に基づいて説明する。
【００４１】
図１３に示すように、本発明の第３実施形態の照明器具８０は、支持金具８１のボックス部固定用板８２の両側の側板８３をアーム１４の側板２７にそれぞれ固定している。
【００４２】
第３実施形態の照明器具８０は第１実施形態と同様の作用効果を奏する。特に、本実施形態では、ボックス部１８が支持金具８１を介してアーム１４に支持されるために、アーム１４にかかる重量を器具本体１１のみとして器具本体１１のみの軽量な回動を図ることができる。
【００４３】
なお、前記実施形態で使用した器具本体１１、ＨＩＤ光源１２，１３、イグナイタ１６，１７、安定器１９，２０等は例示したものに限定するものではなく適宜変更が可能である。
例えば、図１４に示す照明器具９０は、光源である無電極放電灯９１と、無電極放電灯９１を点灯させる点灯装置を構成する安定器９２とが器具本体１１内に収容されている。無電極放電灯９１および安定器９２は、直列に接続されているとともに商用電源に接続されている。
本発明は、照明器具９０も含むものである。
【符号の説明】
【００４４】
１０、７０、８０  照明器具
１１  器具本体
１２、１３  ＨＩＤ光源（光源）
１４  アーム
１５、７１、８１  支持金具（金具）
１６、１７  イグナイタ
１８  ボックス部
４９  掛止部
９１  無電極放電灯（光源）
【図１】
2011003346.tif 000003
【図２】
2011003346.tif 000004
【図３】
2011003346.tif 000005
【図４】
2011003346.tif 000006
【図５】
2011003346.tif 000007
【図６】
2011003346.tif 000008
【図７】
2011003346.tif 000009
【図８】
2011003346.tif 000010
【図９】
2011003346.tif 000011
【図１０】
2011003346.tif 000012
【図１１】
2011003346.tif 000013
【図１２】
2011003346.tif 000014
【図１３】
2011003346.tif 000015
【図１４】
2011003346.tif 000016